(57)【要約】本発明は、無線通信システムにおけるネットワークと移動端末機間の通信に関する。本発明は、送信時間間隔（ｔｒａｎｓｍｉｓｓｉｏｎ  ｔｉｍｅ  ｉｎｔｅｒｖａｌ）中にチャネルを受信する段階と、前記チャネルを受信した後、前記チャネルに関する所定の送信時間間隔中は前記ネットワークから伝送を受信しないと決定する段階とを含む。前記チャネルは、トランスポートチャネルがマッピングされる物理チャネルであってもよく、前記チャネルに関する前記所定の送信時間間隔は、前記トランスポートチャネルがマッピングされる前記物理チャネルの構成パラメータ（ｃｏｎｆｉｇｕｒａｔｉｏｎ  ｐａｒａｍｅｔｅｒｓ）に依存してもよい。
2010521836.tif 000002
【特許請求の範囲】
【請求項１】
無線通信システムにおけるネットワークと移動端末機間の通信方法において、
送信時間間隔（ｔｒａｎｓｍｉｓｓｉｏｎ  ｔｉｍｅ  ｉｎｔｅｒｖａｌ）中にチャネルを受信する段階と、
前記チャネルを受信した後、前記チャネルに関する所定の送信時間間隔中は前記ネットワークからの送信を受信しないと決定する段階と
を含む方法。
【請求項２】
前記チャネルは、トランスポートチャネルがマッピングされる物理チャネルであることを特徴とする請求項１に記載の方法。
【請求項３】
前記チャネルに関する前記所定の送信時間間隔は、前記チャネルの送信と同一チャネルの次の送信間の送信時間間隔の数であることを特徴とする請求項１に記載の方法。
【請求項４】
前記チャネルに関する前記所定の送信時間間隔は、前記チャネルが送信される送信時間間隔の開始と同一チャネルが送信される次の送信時間間隔の開始間の送信時間間隔の数であることを特徴とする請求項１に記載の方法。
【請求項５】
前記チャネルに関する前記所定の送信時間間隔は、前記トランスポートチャネルがマッピングされる前記物理チャネルの構成パラメータ（ｃｏｎｆｉｇｕｒａｔｉｏｎ  ｐａｒａｍｅｔｅｒｓ）に依存することを特徴とする請求項２に記載の方法。
【請求項６】
前記構成パラメータは、
変調方式（ｍｏｄｕｌａｔｉｏｎ  ｓｃｈｅｍｅ）、
拡散率（ｓｐｒｅａｄｉｎｇ  ｆａｃｔｏｒ）、及び
使用された送信時間間隔の少なくとも１つを含むことを特徴とする請求項５に記載の方法。
【請求項７】
前記チャネルに関する前記所定の送信時間間隔は、前記ネットワークにより設定されることを特徴とする請求項１に記載の方法。
【請求項８】
前記チャネルに関する前記所定の送信時間間隔は、
一対多制御チャネル、及び
専用信号の少なくとも１つで前記ネットワークから受信されることを特徴とする請求項７に記載の方法。
【請求項９】
前記チャネルにマッピングされたサービスデータを受信する段階と、
前記サービスデータを復号化した後、前記サービスデータに関する所定の送信時間間隔中は前記ネットワークからの送信を受信しないと決定する段階とをさらに含むことを特徴とする請求項１に記載の方法。
【請求項１０】
前記サービスデータに関する前記所定の送信時間間隔は、前記サービスデータが伝送される送信時間間隔の開始と同一サービスデータが伝送される次の送信時間間隔の開始間の送信時間間隔の数であることを特徴とする請求項９に記載の方法。
【請求項１１】
無線通信システムにおけるネットワークと移動端末機間の通信方法において、
物理チャネルにより運ばれる特定トランスポートチャネルを示すインジケータを含む送信初期部（ｉｎｉｔｉａｌ  ｐｏｒｔｉｏｎ）を受信する段階と、
前記インジケータを復号化する段階と、
前記復号化されたインジケータに基づいて、前記物理チャネルにより運ばれる前記特定トランスポートチャネルが所望のトランスポートチャネルであるか否かを判断する段階と、
前記物理チャネルにより運ばれる前記特定トランスポートチャネルが所望のトランスポートチャネルでないと判断された場合、前記送信残部（ｒｅｍａｉｎｉｎｇ  ｐｏｒｔｉｏｎ）を受信しないと決定する段階と
を含む方法。
【請求項１２】
無線通信システムにおけるネットワークと移動端末機間の通信方法において、
送信時間間隔中に受信されるトランスポートチャネルを示すインジケータを受信する段階と、
前記インジケータを受信した後、前記トランスポートチャネルに関する所定の送信時間間隔中は前記ネットワークからの送信を受信しないと決定する段階と
を含む方法。
【請求項１３】
無線通信システムにおけるネットワークと移動端末機間の通信方法において、
チャネルに関する所定の送信時間間隔を設定する段階と、
送信時間間隔中に前記チャネルを送信する段階と、
前記所定の送信時間間隔が経過した後、同一チャネルを送信する段階と
を含む方法。
【請求項１４】
前記チャネルは、トランスポートチャネルがマッピングされる物理チャネルであることを特徴とする請求項１３に記載の方法。
【請求項１５】
前記チャネルに関する前記所定の送信時間間隔は、前記チャネルの送信と同一チャネルの次の送信間の送信時間間隔の数であることを特徴とする請求項１３に記載の方法。
【請求項１６】
前記チャネルに関する前記所定の送信時間間隔は、前記チャネルが送信される送信時間間隔の開始と同一チャネルが送信される次の送信時間間隔の開始間の送信時間間隔の数であることを特徴とする請求項１３に記載の方法。
【請求項１７】
前記チャネルに関する前記所定の送信時間間隔は、前記トランスポートチャネルがマッピングされる前記物理チャネルの構成パラメータに依存することを特徴とする請求項１４に記載の方法。
【請求項１８】
前記構成パラメータは、
変調方式、
拡散率、及び
使用された送信時間間隔の少なくとも１つを含むことを特徴とする請求項１７に記載の方法。
【請求項１９】
前記チャネルに関する前記所定の送信時間間隔を前記移動端末機に伝送する段階をさらに含むことを特徴とする請求項１３に記載の方法。
【請求項２０】
前記チャネルに関する前記所定の送信時間間隔は、
一対多制御チャネル、及び
専用信号の少なくとも１つで前記移動端末機に伝送されることを特徴とする請求項１９に記載の方法。
【請求項２１】
前記チャネルにマッピングされたサービスデータを伝送する段階をさらに含み、
ここで、前記移動端末機は、前記サービスデータを復号化した後、前記サービスデータに関する所定の送信時間間隔中は前記ネットワークからの送信を受信しないと決定することを特徴とする請求項１３に記載の方法。
【請求項２２】
前記サービスデータに関する前記所定の送信時間間隔は、前記サービスデータが伝送される送信時間間隔の開始と同一サービスデータが伝送される次の送信時間間隔の開始間の送信時間間隔の数であることを特徴とする請求項２１に記載の方法。
【請求項２３】
無線通信システムにおけるネットワークと移動端末機間の通信方法において、
信号を移動端末機に伝送する段階と、
物理チャネルにより運ばれる特定トランスポートチャネルを示すインジケータを送信初期部内に含める段階とを含み、
ここで、前記移動端末機は、
前記インジケータを復号化し、
前記復号化されたインジケータに基づいて前記物理チャネルにより運ばれる前記特定トランスポートチャネルが所望のトランスポートチャネルであるか否かを判断し、
前記物理チャネルにより運ばれる前記特定トランスポートチャネルが所望のトランスポートチャネルでないと判断された場合、前記送信残部を受信しないと決定することを特徴とする方法。
【請求項２４】
無線通信システムにおけるネットワークと移動端末機間の通信方法において、
トランスポートチャネルに関する所定の送信時間間隔を設定する段階と、
送信時間間隔中に前記移動端末機により受信されるトランスポートチャネルを示すインジケータを伝送する段階と、
前記所定の送信時間間隔が経過した後、前記トランスポートチャネルを送信する段階と
を含む方法。
【発明の詳細な説明】
【技術分野】
【０００１】
本発明は、無線通信システムにおけるネットワークと移動端末機間の通信に関し、特に、一定のデータレートサービスのための不連続受信動作に関する。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、ＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）として公知の欧州標準から進化した欧州式第３世代移動通信システムである。ＵＭＴＳは、ＧＳＭコアネットワークとＷ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）無線接続技術を基盤としてより向上した無線通信サービスの提供を目標とする。１９９８年１２月にヨーロッパのＥＴＳＩ、日本のＡＲＩＢ／ＴＴＣ、米国のＴ１、及び韓国のＴＴＡなどは、第３世代移動体通信システムの標準化プロジェクト（Ｔｈｉｒｄ  Ｇｅｎｅｒａｔｉｏｎ  Ｐａｒｔｎｅｒｓｈｉｐ  Ｐｒｏｊｅｃｔ：  ３ＧＰＰ）を構成した。前記３ＧＰＰはＵＭＴＳ技術の詳細な標準規格を作成する。
【０００３】
３ＧＰＰでは、迅速かつ効率的なＵＭＴＳの技術開発を実現するために、ネットワーク要素とその動作に対する独立性を考慮してＵＭＴＳの標準化作業を５つの技術規格グループ（Ｔｅｃｈｎｉｃａｌ  Ｓｐｅｃｉｆｉｃａｔｉｏｎ  Ｇｒｏｕｐｓ：  ＴＳＧ）に分けて進めている。各ＴＳＧは、関連領域内で標準規格の開発、承認、及びその管理を担当するが、そのうち、無線アクセスネットワーク（Ｒａｄｉｏ  Ａｃｃｅｓｓ  Ｎｅｔｗｏｒｋ：  ＲＡＮ）グループ（ＴＳＧ−ＲＡＮ）は、ＵＭＴＳにおいてＷ−ＣＤＭＡ接続技術をサポートするための新しい無線アクセスネットワークであるＵＴＲＡＮ（ＵＭＴＳ  Ｔｅｒｒｅｓｔｒｉａｌ  Ｒａｄｉｏ  Ａｃｃｅｓｓ  Ｎｅｔｗｏｒｋ）の機能、要求事項、及びインタフェースに関する規格を開発する。
【０００４】
図１は、ＵＭＴＳネットワークの概要図である。前記ＵＭＴＳネットワークは、移動端末又はユーザ装置（ＵＥ）１、ＵＴＲＡＮ２、及びコアネットワーク（ＣＮ）３から構成される。
【０００５】
ＵＴＲＡＮ２は、Ｉｕｂインタフェースで接続される複数の無線ネットワーク制御装置（ｒａｄｉｏ  ｎｅｔｗｏｒｋ  ｃｏｎｔｒｏｌｌｅｒ：ＲＮＣ）４とＮｏｄｅＢ５から構成される。各ＲＮＣ４は、複数のＮｏｄｅＢ５を制御する。各ＮｏｄｅＢ５は、１つ又は複数のセルを制御でき、１つのセルは所定周波数で所定地理的領域をカバーできる。
【０００６】
各ＲＮＣ４は、ＩｕインタフェースでＣＮ３、又は、前記ＣＮのＭＳＣ（Ｍｏｂｉｌｅ−ｓｅｒｖｉｃｅｓ  Ｓｗｉｔｃｈｉｎｇ  Ｃｅｎｔｅｒ）エンティティ６及びＳＧＳＮ（Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）  Ｓｕｐｐｏｒｔ  Ｎｏｄｅ）エンティティ７と接続される。ＲＮＣ４は、Ｉｕｒインタフェースで他のＲＮＣと接続される。ＲＮＣ４は、無線リソースの割り当て及び管理を担当し、ＣＮ３へのアクセスポイントの役割を果たす。
【０００７】
ＮｏｄｅＢ５は、アップリンクでＵＥ１の物理層により伝送された情報を受信し、ダウンリンクでデータをＵＥ１に伝送する。ＮｏｄｅＢ５は、ＵＥ１へのＵＴＲＡＮ２のアクセスポイントの役割を果たす。
【０００８】
ＳＧＳＮ７は、ＧｆインタフェースでＥＩＲ（Ｅｑｕｉｐｍｅｎｔ  Ｉｄｅｎｔｉｔｙ  Ｒｅｇｉｓｔｅｒ）８と、ＧｓインタフェースでＭＳＣ６と、ＧＮインタフェースでＧＧＳＮ（Ｇａｔｅｗａｙ  ＧＰＲＳ  Ｓｕｐｐｏｒｔ  Ｎｏｄｅ）９と、ＧｒインタフェースでＨＳＳ（Ｈｏｍｅ  Ｓｕｂｓｃｒｉｂｅｒ  Ｓｅｒｖｉｃｅ）と接続される。
【０００９】
ＥＩＲ８は、ネットワーク上で利用できるＵＥ１のリストを提供する。さらに、ＥＩＲ８は、ネットワーク上で利用できない端末のリストを提供する。
【００１０】
回線交換（ｃｉｒｃｕｉｔ  ｓｗｉｔｃｈ：ＣＳ）サービスの接続を制御するＭＳＣ６は、ＮＢインタフェースでＭＧＷ（Ｍｅｄｉａ  Ｇａｔｅｗａｙ）１１と、ＦインタフェースでＥＩＲ８と、ＤインタフェースでＨＳＳ１０と接続される。
【００１１】
ＭＧＷ１１は、ＣインタフェースでＨＳＳ１０と接続され、ＰＳＴＮ（Ｐｕｂｌｉｃ  Ｓｗｉｔｃｈｅｄ  Ｔｅｌｅｐｈｏｎｅ  Ｎｅｔｗｏｒｋ）と接続される。ＭＧＷ１１は、前記ＰＳＴＮと前記接続されたＲＡＮとの間のコーデックの適用を可能にする。
【００１２】
ＧＧＳＮ９は、ＧｃインタフェースでＨＳＳ１０と、ＧＩインタフェースでインターネットと接続される。ＧＧＳＮ９は、他の無線アクセスベアラ（ｒａｄｉｏ  ａｃｃｅｓｓ  ｂｅａｒｅｒ：ＲＡＢ）へのデータフローのルーティング、課金、及び分離を担当する。ＨＳＳ１０は、ユーザの加入データを取り扱う。
【００１３】
ＵＴＲＡＮ２は、ＵＥ１とＣＮ３間の通信のためにＲＡＢを構成及び維持する。ＣＮ３は、前記ＲＡＢにエンドツーエンドサービス品質（ＱｏＳ）要求事項を要求し、前記ＲＡＢは、前記ＣＮ３により設定された前記ＱｏＳ要求事項をサポートする。従って、ＵＴＲＡＮ２は、前記ＲＡＢを構成及び維持することにより、エンドツーエンドＱｏＳ要求事項を満たす。
【００１４】
特定ＵＥ１に提供されるサービスは、ＣＳサービスとパケット交換（ｐａｃｋｅｔ  ｓｗｉｔｃｈｅｄ：ＰＳ）サービスに大別される。例えば、一般的な音声対話サービスは、ＣＳサービスであり、インターネット接続によるウェブブラウジングサービスは、ＰＳサービスとして分類される。
【００１５】
ＣＳサービスをサポートするために、ＲＮＣ４は、ＣＮ３のＭＳＣ６に接続され、ＭＳＣ６は、他のネットワークとの接続を管理するＧＭＳＣ（ｇａｔｅｗａｙ  ｍｏｂｉｌｅ  ｓｗｉｔｃｈｉｎｇ  ｃｅｎｔｅｒ）に接続される。ＰＳサービスをサポートするために、ＲＮＣ４は、ＣＮ３のＳＧＳＮ７及びＧＧＳＮ９と接続される。
【００１６】
ＳＧＳＮ７は、前記ＲＮＣとのパケット通信をサポートする。ＧＧＳＮ９は、インターネットのような他のパケット交換ネットワークとの接続を管理する。
【００１７】
図２は、３ＧＰＰ無線接続ネットワーク標準に準拠したＵＥ１とＵＴＲＡＮ２間の無線インタフェースプロトコルの構造を示す。図２に示すように、前記無線インタフェースプロトコルは、物理層、データリンク層、及びネットワーク層から構成される水平層と、ユーザデータの転送のためのユーザプレーン（Ｕｓｅｒ  Ｐｌａｎｅ：  Ｕ−ｐｌａｎｅ）及び制御情報の転送のための制御プレーン（Ｃｏｎｔｒｏｌ  Ｐｌａｎｅ：  Ｃ−ｐｌａｎｅ）から構成される垂直プレーンからなる。前記Ｕ−プレーンは、音声やＩＰパケットのようなユーザのトラヒック情報を取り扱う領域である。前記Ｃ−プレーンは、ネットワークのインタフェース、呼の維持及び管理などに関する制御情報を取り扱う領域である。前記プロトコル層は、開放型システム間相互接続（Ｏｐｅｎ  Ｓｙｓｔｅｍ  Ｉｎｔｅｒｃｏｎｎｅｃｔｉｏｎ：  ＯＳＩ）参照モデルの下位３層に基づいて第１層（Ｌ１）、第２層（Ｌ２）、第３層（Ｌ３）に区分される。
【００１８】
第１層（Ｌ１）、又は物理層は、多様な無線伝送技術を利用して上位層に情報転送サービス（Ｉｎｆｏｒｍａｔｉｏｎ  Ｔｒａｎｓｆｅｒ  Ｓｅｒｖｉｃｅ）を提供する。前記物理層は、上位層である媒体アクセス制御（Ｍｅｄｉａ  Ａｃｃｅｓｓ  Ｃｏｎｔｒｏｌ：  ＭＡＣ）層にトランスポートチャネルで接続される。前記ＭＡＣ層と物理層は前記トランスポートチャネルでデータを交換する。
【００１９】
第２層（Ｌ２）は、ＭＡＣ層、無線リンク制御（Ｒａｄｉｏ  Ｌｉｎｋ  Ｃｏｎｔｒｏｌ：  ＲＬＣ）層、ブロードキャスト／マルチキャスト制御（Ｂｒｏａｄｃａｓｔ／Ｍｕｌｔｉｃａｓｔ  Ｃｏｎｔｒｏｌ：ＢＭＣ）層、パケットデータコンバージェンスプロトコル（Ｐａｃｋｅｔ  Ｄａｔａ  Ｃｏｎｖｅｒｇｅｎｃｅ  Ｐｒｏｔｏｃｏｌ：ＰＤＣＰ）層を含む。前記ＭＡＣ層は、論理チャネルとトランスポートチャネル間のマッピングを管理し、無線リソースの割り当て及び再割り当てのためのＭＡＣパラメータの割り当てサービスを提供する。前記ＭＡＣ層は、上位層であるＲＬＣ層と論理チャネルで接続される。
【００２０】
転送情報の種類によって多様な論理チャネルが提供される。一般に、Ｃ−プレーンの情報を転送する場合は制御チャネルが利用され、Ｕ−プレーンの情報を転送する場合はトラヒックチャネルが利用される。
【００２１】
論理チャネルは、その論理チャネルを共有しているか否かによって共通チャネル（Ｃｏｍｍｏｎ  Ｃｈａｎｎｅｌ）又は専用チャネル（Ｄｅｄｉｃａｔｅｄ  Ｃｈａｎｎｅｌ）になる。論理チャネルは、専用トラヒックチャネル（Ｄｅｄｉｃａｔｅｄ  Ｔｒａｆｆｉｃ  Ｃｈａｎｎｅｌ：  ＤＴＣＨ）、専用制御チャネル（Ｄｅｄｉｃａｔｅｄ  Ｃｏｎｔｒｏｌ  Ｃｈａｎｎｅｌ：  ＤＣＣＨ）、共通トラヒックチャネル（Ｃｏｍｍｏｎ  Ｔｒａｆｆｉｃ  Ｃｈａｎｎｅｌ：  ＣＴＣＨ）、共通制御チャネル（Ｃｏｍｍｏｎ  Ｃｏｎｔｒｏｌ  Ｃｈａｎｎｅｌ：  ＣＣＣＨ）、ブロードキャスト制御チャネル（Ｂｒｏａｄｃａｓｔ  Ｃｏｎｔｒｏｌ  Ｃｈａｎｎｅｌ：  ＢＣＣＨ）、並びにページング制御チャネル（Ｐａｇｉｎｇ  Ｃｏｎｔｒｏｌ  Ｃｈａｎｎｅｌ：  ＰＣＣＨ）もしくはＳＨＣＣＨ（Ｓｈａｒｅｄ  Ｃｈａｎｎｅｌ  Ｃｏｎｔｒｏｌ  Ｃｈａｎｎｅｌ）を含む。
【００２２】
前記ＢＣＣＨは、システムにアクセスするために、ＵＥ１が活用する情報を含む情報を提供する。前記ＰＣＣＨは、端末にアクセスするためにＵＴＲＡＮによって利用される。
【００２３】
マルチメディアブロードキャスト／マルチキャストサービス（ＭＢＭＳ）の目的のために、さらなるトラヒックチャネル及び制御チャネルがＭＢＭＳ標準に取り入れられている。ＭＣＣＨ（ＭＢＭＳ  ｐｏｉｎｔ−ｔｏ−ｍｕｌｔｉｐｏｉｎｔ  Ｃｏｎｔｒｏｌ  Ｃｈａｎｎｅｌ）を利用してＭＢＭＳ制御情報を伝送し、ＭＴＣＨ（ＭＢＭＳ  ｐｏｉｎｔ−ｔｏ−ｍｕｌｔｉｐｏｉｎｔ  Ｔｒａｆｆｉｃ  Ｃｈａｎｎｅｌ）を利用してＭＢＭＳサービスデータを伝送する。前記ＭＳＣＨを利用してスケジューリング情報を伝送する。図３は、既存の多様な論理チャネルを示す。
【００２４】
前記ＭＡＣ層は、トランスポートチャネルにより物理層と接続され、管理するトランスポートチャネルの種類によってＭＡＣ−ｂサブレイヤ、ＭＡＣ−ｄサブレイヤ、ＭＡＣ−ｃ／ｓｈサブレイヤ、ＭＡＣ−ｈｓサブレイヤ、ＭＡＣ−ｍサブレイヤに区分される。前記ＭＡＣ−ｂサブレイヤは、システム情報のブロードキャストを担当するトランスポートチャネルであるブロードキャストチャネル（Ｂｒｏａｄｃａｓｔ  Ｃｈａｎｎｅｌ：  ＢＣＨ）を管理する。前記ＭＡＣ−ｃ／ｓｈサブレイヤは、複数の端末が共有するＦＡＣＨ（Ｆｏｒｗａｒｄ  Ａｃｃｅｓｓ  Ｃｈａｎｎｅｌ）もしくはＤＳＣＨ（Ｄｏｗｎｌｉｎｋ  ｓｈａｒｅｄ  ｃｈａｎｎｅｌ）などの共通伝送チャネル、又は、アップリンクでＲＡＣＨ（Ｒａｄｉｏ  Ａｃｃｅｓｓ  Ｃｈａｎｎｅｌ）を管理する。前記ＭＡＣ−ｍサブレイヤは、ＭＢＭＳデータを管理する。
【００２５】
図４は、ＵＥの観点から論理チャネルとトランスポートチャネル間の可能なマッピングを示す。図５は、ＵＴＲＡＮの観点から論理チャネルとトランスポートチャネル間の可能なマッピングを示す。
【００２６】
前記ＭＡＣ−ｄサブレイヤは、特定端末のための専用トランスポートチャネルである専用チャネル（Ｄｅｄｉｃａｔｅｄ  Ｃｈａｎｎｅｌ：  ＤＣＨ）を管理する。前記ＭＡＣ−ｄサブレイヤは、該当端末を管理するＳＲＮＣ（Ｓｅｒｖｉｎｇ  Ｒａｄｉｏ  Ｎｅｔｗｏｒｋ  Ｃｏｎｔｒｏｌｌｅｒ）に位置し、１つのＭＡＣ−ｄサブレイヤが各端末内に存在する。
【００２７】
前記ＲＬＣ層は、ＲＬＣ動作モードによって信頼性のあるデータの伝送をサポートし、上位層から伝送された複数のＲＬＣサービスデータユニット（Ｓｅｒｖｉｃｅ  Ｄａｔａ  Ｕｎｉｔ：ＳＤＵ）の分割及び連結機能を果たす。前記ＲＬＣ層は、上位層から前記ＲＬＣ  ＳＤＵを受信すると、処理容量に応じた適切な方法でそれぞれのＲＬＣ  ＳＤＵのサイズを調節した後、ヘッダ情報を加えて所定のデータユニットを生成する。プロトコルデータユニット（Ｐｒｏｔｏｃｏｌ  Ｄａｔａ  Ｕｎｉｔ：ＰＤＵ）と呼ばれる前記データユニットは、論理チャネルで前記ＭＡＣ層に伝送される。前記ＲＬＣ層は、前記ＲＬＣ  ＳＤＵ及び／又はＲＬＣ  ＰＤＵを保存するためのＲＬＣバッファを含む。
【００２８】
前記ＢＭＣ層は、コアネットワークから受信されたセルブロードキャスト（Ｃｅｌｌ  Ｂｒｏａｄｃａｓｔ：  ＣＢ）メッセージをスケジューリングし、前記ＣＢメッセージを特定セルに位置する端末にブロードキャストする。
【００２９】
パケットデータコンバージェンスプロトコル（ＰＤＣＰ）層は、ＲＬＣ層の上位に位置する。前記ＰＤＣＰ層は、ＩＰｖ４やＩＰｖ６のようなネットワークプロトコルで伝送されるデータを相対的に狭い帯域幅を有する無線インタフェース上で効率的に伝送するために利用される。このために、前記ＰＤＣＰ層は、有線ネットワークにおいて利用される不必要な制御情報を減らす機能を果たし、この機能をヘッダ圧縮と言う。
【００３０】
無線リソース制御（Ｒａｄｉｏ  Ｒｅｓｏｕｒｃｅ  Ｃｏｎｔｒｏｌ：ＲＲＣ）層は、第３層（Ｌ３）の最下部に位置し、制御プレーンにおいてのみ定義される。前記ＲＲＣ層は、無線ベアラ（Ｒａｄｉｏ  Ｂｅａｒｅｒ：  ＲＢ）の設定、再設定、及び解除に関連してトランスポートチャネル及び物理チャネルを制御する。また、前記ＲＲＣは、前記無線接続ネットワークにおけるユーザの移動性及びロケーションサービスなどの付加サービスを管理する。
【００３１】
ＲＢは、端末とＵＴＲＡＮ間のデータ伝送のために第２層（Ｌ２）により提供されるサービスである。一般に、ＲＢの設定とは、特定データサービスの提供のために必要なプロトコル層とチャネルの特性を規定し、具体的なパラメータ及び動作方法を設定する過程を意味する。
【００３２】
所定ＵＥのための無線ベアラとトランスポートチャネル間のマッピングの様々な可能性が常に成立するわけではない。前記ＵＥ及びＵＴＲＡＮは、ＵＥの状態やＵＥ及びＵＴＲＡＮが現在行っている過程によって可能なマッピングを推定する。本発明における様々な状態やモードについての説明は、次の通りである。
【００３３】
異なるトランスポートチャネルは、異なる物理チャネルにマッピングされる。例えば、ＲＡＣＨトランスポートチャネルは所定のＰＲＡＣＨに、ＤＣＨはＤＰＣＨに、ＦＡＣＨ及びＰＣＨはＳ−ＣＣＰＣＨに、ＤＳＣＨはＰＤＳＣＨにマッピングされる。物理チャネルの設定は、ＲＮＣとＵＥ間のＲＲＣシグナル交換により行われる。
【００３４】
ＲＲＣモードは、端末のＲＲＣとＵＴＲＡＮのＲＲＣ間に論理接続が存在するか否かを示す。接続が存在すると、前記端末はＲＲＣ接続モードにあるという。接続が存在しないと、前記端末はアイドルモードにあるという。
【００３５】
ＲＲＣ接続モードにある端末に対してＲＲＣ接続が存在するため、ＵＴＲＡＮは、セルユニット内の特定端末が存在するか否か、例えば、ＲＲＣ接続モードの端末がどのセル又はセルの集合にあるか、及びどの物理チャネルをＵＥがリッスンしているかを判断できる。このように、端末を効果的に制御できる。
【００３６】
これに対して、ＵＴＲＡＮは、アイドルモードにある端末の存在を判断できない。ロケーションやルーティング領域のようにセルより大きい地域内でのアイドルモードの端末の存在は、コアネットワークによってのみ判断される。従って、アイドルモード端末の存在は、大きい地域内で判断される。音声やデータなどの無線通信サービスを受けるために、アイドルモードの端末は、ＲＲＣ接続モードに移行又は変更しなければならない。ＵＥのモードと状態間の可能な移行は図６に示す。
【００３７】
ＲＲＣ接続モードにあるＵＥは、ＣＥＬＬ＿ＦＡＣＨ状態、ＣＥＬＬ＿ＰＣＨ状態、ＣＥＬＬ＿ＤＣＨ状態、ＵＲＡ＿ＰＣＨ状態などの異なる状態となることができる。これらの状態に応じて、ＵＥは異なる動作を行い、異なるチャネルをリッスンする。
【００３８】
例えば、ＣＥＬＬ＿ＤＣＨ状態のＵＥは、多様なチャネルのうち、ＤＣＨタイプのトランスポートチャネルをリッスンする。ＤＣＨタイプのトランスポートチャネルは、所定のＤＰＣＨ、ＤＰＤＳＣＨ、又は他の物理チャネルにマッピングできるＤＴＣＨ及びＤＣＣＨトランスポートチャネルを含む。
【００３９】
ＣＥＬＬ＿ＦＡＣＨ状態にあるＵＥは、特定Ｓ−ＣＣＰＣＨにマッピングされる複数のＦＡＣＨトランスポートチャネルをリッスンする。ＰＣＨ状態にあるＵＥは、ＰＩＣＨチャネルをリッスンし、特定Ｓ−ＣＣＰＣＨ物理チャネルにマッピングされるＰＣＨチャネルをリッスンする。
【００４０】
主なシステム情報がＰ−ＣＣＰＣＨ（Ｐｒｉｍａｒｙ  Ｃｏｍｍｏｎ  Ｃｏｎｔｒｏｌ  Ｐｈｙｓｉｃａｌ  Ｃｈａｎｎｅｌ）にマッピングされるＢＣＣＨ論理チャネルで伝送される。特定システム情報ブロックは、ＦＡＣＨチャネルで伝送できる。前記システム情報がＦＡＣＨで伝送されると、前記ＵＥは、前記Ｐ−ＣＣＰＣＨで受信されたＢＣＣＨ又は専用チャネルで前記ＦＡＣＨの構成を受信する。システム情報がＢＣＣＨ（すなわち、Ｐ−ＣＣＰＣＨ）で伝送されると、各フレーム又は２つのフレームのセットにおいてＵＥとＮｏｄｅＢ間で同一のタイミング基準を共有するために使用されるＳＦＮ（ｓｙｓｔｅｍ  ｆｒａｍｅ  ｎｕｍｂｅｒ）が伝送される。前記Ｐ−ＣＣＰＣＨは、セル内のプライマリスクランブリングコードである、Ｐ−ＣＰＩＣＨ（Ｐｒｉｍａｒｙ  Ｃｏｍｍｏｎ  Ｐｉｌｏｔ  Ｃｈａｎｎｅｌ）としての同一のスクランブリングコードを利用して伝送される。前記Ｐ−ＣＣＰＣＨが使用する拡散コードは、常に固定された拡散率２５６を有し、その番号は１である。ＵＥは、ＵＥが既に読み込んだ隣接セルのシステム情報に関してネットワークから伝送された情報により、又はＤＣＣＨチャネルで受信したメッセージにより、又は固定されたＳＦ２５６及び拡散コード番号０を利用して伝送され、固定されたパターンを伝送するＰ−ＣＰＩＣＨを調べることにより、前記プライマリスクランブリングコードが分かる。
【００４１】
前記システム情報には、隣接セル、ＲＡＣＨ及びＦＡＣＨトランスポートチャネルの構成、並びにＭＢＭＳサービスのための専用チャネルであるＭＩＣＨ及びＭＣＣＨの構成に関する情報が含まれる。
【００４２】
前記ＵＥが自身が（アイドルモードで）留まっている（ｃａｍｐ）セルを変更する度に、又は、前記ＵＥが（ＣＥＬＬ＿ＦＡＣＨ、ＣＥＬＬ＿ＰＣＨ、又はＵＲＡ＿ＰＣＨ状態の）あるセルを選択したとき、前記ＵＥは、有効なシステム情報を有しているか否かを検証する。前記システム情報は、ＳＩＢｓ（Ｓｙｓｔｅｍ  Ｉｎｆｏｒｍａｔｉｏｎ  Ｂｌｏｃｋｓ）、ＭＩＢ（Ｍａｓｔｅｒ  Ｉｎｆｏｒｍａｔｉｏｎ  Ｂｌｏｃｋ）、及びスケジューリングブロックから構成される。前記ＭＩＢは、非常に頻繁に伝送され、スケジューリングブロックと様々なＳＩＢのタイミング情報を提供する。バリュータグ（ｖａｌｕｅ  ｔａｇ）に関連付けられたＳＩＢの場合、前記ＭＩＢは、さらに一部のＳＩＢの最新バージョンに関する情報を含む。バリュータグに関連付けられていないＳＩＢは、期限タイマーに関連付けられている。期限タイマーに関連付けられたＳＩＢは有効でなくなるため、前記ＳＩＢの最新の読み込み時間が期限タイマー値より大きい場合、再度読み込まれる必要がある。バリュータグに関連付けられたＳＩＢは、ＭＩＢにおいてブロードキャストされたバリュータグと同一のバリュータグを有する場合にのみ有効である。各ブロックは、Ｃｅｌｌ、ＰＬＭＮ（Ｐｕｂｌｉｃ  Ｌａｎｄ  Ｍｏｂｉｌｅ  Ｎｅｔｗｏｒｋ）、又は等価ＰＬＭＮなどの、前記ＳＩＢがどのセルにおいて有効であるかを示す有効エリア範囲を有する。エリア範囲「Ｃｅｌｌ」を有するＳＩＢは、ＳＩＢが読み込んだセルに対してのみ有効である。エリア範囲「ＰＬＭＮ」を有するＳＩＢは、全てのＰＬＭＮにおいて有効であり、エリア範囲「等価ＰＬＭＮ」を有するＳＩＢは、全てのＰＬＭＮ及び等価ＰＬＭＮにおいて有効である。
【００４３】
一般的に、ＵＥは、アイドルモードにあるとき、又は、前記ＵＥが選択したセルもしくは前記ＵＥが留まっている（ｃａｍｐ  ｏｎ）セルがＣＥＬＬ＿ＦＡＣＨ状態、ＣＥＬＬ＿ＰＣＨ状態もしくはＵＲＡ＿ＰＣＨ状態であるとき、前記システム情報を読み出す。前記システム情報において、ＵＥは、同一周波数、異なる周波数、及び異なるＲＡＴ（Ｒａｄｉｏ  Ａｃｃｅｓｓ  Ｔｅｃｈｎｏｌｏｇｉｅｓ）上にある隣接セルに関する情報を受信する。これは、前記ＵＥがセル再選択のための候補セルを認識できるようにする。
【００４４】
ＭＢＭＳは、規格のＲｅｌｅａｓｅ６（Ｒｅｌ−６）のＵＭＴＳ標準に取り入れられている。それは、一対多伝送、並びに一対多と一対一ベアラ間の選択的結合（ｓｅｌｅｃｔｉｖｅ  ｃｏｍｂｉｎｉｎｇ）及び伝送モード選択を含むＭＢＭＳベアラサービスの最適化された伝送のための技術について説明している。これは、同一のコンテンツを複数のユーザに伝送するときに無線リソースを節約するために利用され、これによりテレビなどのサービスを可能にする。ＭＢＭＳデータは、２つのカテゴリー、すなわち、制御プレーン情報とユーザプレーン情報に分類できる。前記制御プレーン情報は、物理層設定情報、トランスポートチャネル設定情報、無線ベアラ設定情報、提供中のサービスに関する情報、集計情報、スケジューリング情報などを含む。ＵＥがこのような情報を受信できるようにするために、ＭＢＭＳのためのＭＢＭＳベアラ特定制御情報が前記ＵＥに伝送される。
【００４５】
ＭＢＭＳベアラなどのユーザプレーンデータは、１つのＵＥにのみ伝送される一対一サービスの場合に専用トランスポートチャネルにマッチングされるか、又は同時に複数のユーザに伝送され（かつ複数のユーザにより受信され）る一対多サービスの場合に共有トランスポートチャネルにマッピングされる。
【００４６】
一対一伝送は、ネットワークとＲＲＣ接続モードにあるＵＥ間で専用制御／ユーザプレーン情報だけでなく、ＭＢＭＳ特定制御／ユーザプレーン情報を伝達するために利用される。前記一対一伝送は、ＭＢＭＳのマルチキャスト又はブロードキャストモードのために利用される。ＤＴＣＨは、ＣＥＬＬ＿ＦＡＣＨ及びＣｅｌｌ＿ＤＣＨ状態のＵＥのために利用される。これは、トランスポートチャネルへの既存のマッピングを可能にする。
【００４７】
セルリソースを最適な方式で利用するために、ＭＢＭＳアプリケーションにおいて集計という機能が取り入れられている。このような集計手順は、所定サービスを受信しようとするＵＥの数を判断するために利用される。これは、図７に示す集計手順を利用して行われる。
【００４８】
例えば、特定サービスに関心を持つＵＥは、ＭＢＭＳサービスの利用可能性に関する情報を受信する。ネットワークは、ＵＥがＭＣＣＨチャネルに「アクセス情報」を伝送するのと同様の方式で前記サービスに対する関心を前記ネットワークに通知すべきであることを前記ＵＥに通知することができる。前記アクセス情報メッセージに含まれる確率係数（ｐｒｏｂａｂｉｌｉｔｙ  ｆａｃｔｏｒ）を用いて関心を持つＵＥのみが所定確率で応答すると判断する。前記ＵＥが所定サービスに関心を持つことをネットワークに通知するために、ＵＥは、前記ＵＥが集計情報を受信したセルにおいてＲＲＣ接続設定メッセージ又はセルアップデートメッセージを前記ネットワークに送信する。このようなメッセージは、ＵＥが関心を持つサービスを示す識別子を含む。
【００４９】
前記ネットワークが様々な周波数で動作する場合、ＵＥが１つの周波数に留まり（ｃａｍｐ）、異なる周波数でＭＢＭＳサービスが伝送されると、ＵＥは、ＭＢＭＳサービスが前記他の周波数で伝送されるということを認識できない。従って、周波数収束手順は、周波数Ｂで所定サービスを利用可能であるということを示す情報をＵＥが周波数Ａで受信できるようにする。
【００５０】
一般に、ＭＢＭＳ一対多制御チャネル（ＭＣＣＨ）は、ＲＲＣ接続又はアイドルモードでネットワークとＵＥ間の制御プレーン情報の一対多ダウンリンク伝送のために使用される論理チャネルである。ＭＣＣＨ上の前記制御プレーン情報は、ＭＢＭＳ仕様であり、アクティブ化したＭＢＭＳサービスと共にセル内の前記ＵＥに伝送される。前記ＭＣＣＨは、ＣＥＬＬ＿ＦＡＣＨ状態のＵＥのＤＣＣＨを伝送するＳ−ＣＣＰＣＨ、又はスタンドアロンＳ−ＣＣＰＣＨ、又はＭＴＣＨを有する同一Ｓ−ＣＣＰＣＨで伝送できる。
【００５１】
前記ＭＣＣＨは、前記ＢＣＣＨに示されているように、前記Ｓ−ＣＣＰＣＨ内の特定ＦＡＣＨにマッピングされる。ソフト結合の場合、前記ＭＣＣＨは、ＭＴＣＨとは異なるＳ−ＣＣＰＣＨ（ＴＤＤ内のＣＣＴｒＣＨ）にマッピングされる。ページングの受信は、アイドルモード及びＵＲＡ／ＣＥＬＬ＿ＰＣＨ  ＵＥのための前記ＭＣＣＨの受信よりも優先する。前記ＭＣＣＨの設定（変更周期、反復周期など）が前記ＢＣＣＨで伝送された前記システム情報に設定される。
【００５２】
一般に、ＭＢＭＳ一対多トラフィックチャネル（ＭＴＣＨ）は、ＲＲＣ接続又はアイドルモードでネットワークとＵＥ間のユーザプレーン情報の一対多ダウンリンク伝送のために使用される論理チャネルである。ＭＴＣＨでの前記ユーザプレーン情報は、ＭＢＭＳサービス仕様であり、アクティブ化したＭＢＭＳサービスと共にセル内の前記ＵＥに伝送される。前記ＭＴＣＨは、前記ＭＣＣＨに示されているように、前記Ｓ−ＣＣＰＣＨ内の特定ＦＡＣＨにマッピングされる。
【００５３】
一般に、ＭＢＭＳ一対多スケジューリングチャネル（ＭＳＣＨ）は、ＲＲＣ接続又はアイドルモードでネットワークとＵＥ間のＭＢＭＳサービス伝送スケジュールの一対多ダウンリンク伝送のために使用される論理チャネルである。ＭＳＣＨ上の制御プレーン情報は、ＭＢＭＳサービス及びＳ−ＣＣＰＣＨ仕様であり、ＭＴＣＨを受信するセル内の前記ＵＥに伝送される。ＭＳＣＨは、前記ＭＴＣＨを伝送するそれぞれのＳ−ＣＣＰＣＨで伝送される。前記ＭＳＣＨは、前記ＭＣＣＨに示されているように、前記Ｓ−ＣＣＰＣＨ内の特定ＦＡＣＨにマッピングされる。様々なエラー条件によって、前記ＭＳＣＨは、前記ＭＴＣＨとは異なるＦＡＣＨにマッピングされる。
【００５４】
一般に、ＦＡＣＨは、ＭＴＣＨ、ＭＳＣＨ、及びＭＣＣＨのためのトランスポートチャネルとして利用される。さらに、Ｓ−ＣＣＰＣＨは、前記ＭＴＣＨ、ＭＳＣＨ、又はＭＣＣＨを伝送するＦＡＣＨのための物理チャネルとして利用される。
【００５５】
一般に、論理チャネルとトランスポートチャネル間の以下の接続は、ダウンリンクにのみ存在する。１）ＭＣＣＨは、ＦＡＣＨにマッピングできる。２）ＭＴＣＨは、ＦＡＣＨにマッピングできる。３）ＭＳＣＨは、ＦＡＣＨにマッピングできる。前記ＵＥとＵＴＲＡＮ側から見た前記マッピングは、図８及び図９にそれぞれ示す。
【００５６】
ＭＣＣＨの場合、使用される前記ＲＬＣモードはＵＭ−ＲＬＣであり、非順次的な（ｏｕｔ−ｏｆ−ｓｅｑｕｅｎｃｅ）ＳＤＵ伝送（ｄｅｌｉｖｅｒｙ）をサポートするために必要な改善（ｅｎｈａｎｃｅｍｅｎｔｓ）を伴う。ＭＡＣヘッダは、論理チャネルタイプ識別のために使用される。
【００５７】
ＭＴＣＨの場合、使用される前記ＲＬＣモードはＵＭ−ＲＬＣであり、選択的な結合をサポートするために必要な改善を伴う。ＲＬＣ−ＵＭで迅速な繰り返しが利用される。ＭＡＣヘッダは、論理チャネルタイプ識別及びＭＢＭＳサービス識別のために使用される。
【００５８】
ＭＳＣＨの場合、使用される前記ＲＬＣモードはＵＭ−ＲＬＣである。ＭＡＣヘッダは、論理チャネルタイプ識別のために使用される。
【００５９】
ＭＢＭＳ通知は、セル内でＭＢＭＳ通知インジケータチャネル（ＭＩＣＨ）と呼ばれるＭＢＭＳ特定ＰＩＣＨを活用する。前記ＭＩＣＨに対する符号化は、ステージ３物理層規格で定義される。
【００６０】
一般に、ＭＣＣＨ情報は、決まったスケジュールに基づいて伝送される。ここで、前記スケジュールは、送信時間間隔（Ｔｒａｎｓｍｉｓｓｉｏｎ  Ｔｉｍｅ  ｉｎｔｅｒｖａｌ：ＴＴＩ）、すなわち、ＭＣＣＨ情報の開始を含む複数のフレームを識別する。前記ＭＣＣＨ情報は、可変数のＴＴＩで伝送され、前記ＵＴＲＡＮは、連続したＴＴＩで前記ＭＣＣＨ情報を伝送する。前記ＵＥは、１）前記ＵＥが全てのＭＣＣＨ情報を受信するまで、２）ＭＣＣＨデータを含まないＴＴＩを受信するまで、又は３）情報コンテンツがこれ以上の受信が必要ないことを示す（例えば、前記所望のサービス情報に変更がなくなる）まで、継続して前記ＳＣＣＰＣＨを受信する。
【００６１】
このような方式で、前記ＵＴＲＡＮは、信頼性向上のために、スケジューリングされた伝送の後に前記ＭＣＣＨ情報を繰り返して伝送できる。前記ＭＣＣＨスケジュールは、全てのサービスに共通している。
【００６２】
全てのＭＣＣＨ情報は、「反復周期」に基づいて周期的に伝送される。「修正周期」は、前記反復周期の整数の倍数（ｉｎｔｅｇｅｒ  ｍｕｌｔｉｐｌｅ）として定義される。ＭＢＭＳ  ＡＣＣＥＳＳ  ＩＮＦＯＲＭＡＴＩＯＮは、「アクセス情報周期」に基づいて周期的に伝送される。このような周期は、前記「反復周期」の整数除算（ｉｎｔｅｇｅｒ  ｄｉｖｉｄｅｒ）である。前記反復周期及び変更周期の値は、ＭＢＭＳが伝送されたセルのシステム情報で提供される。
【００６３】
ＭＣＣＨ情報は、重要情報と非重要情報に分けられる。前記重要情報は、ＭＢＭＳ  ＮＥＩＧＨＢＯＲＩＮＧ  ＣＥＬＬ  ＩＮＦＯＲＭＡＴＩＯＮ、ＭＢＭＳ  ＳＥＲＶＩＣＥ  ＩＮＦＯＲＭＡＴＩＯＮ、及びＭＢＭＳ  ＲＡＤＩＯ  ＢＥＡＲＥＲ  ＩＮＦＯＲＭＡＴＩＯＮから構成される。前記非重要情報は、ＭＢＭＳ  ＡＣＣＥＳＳ  ＩＮＦＯＲＭＡＴＩＯＮに該当する。前記重要情報への変更は、修正周期の第１ＭＣＣＨ伝送時、及び各修正周期の開始時に適用される。前記ＵＴＲＡＮは、前記修正周期でＭＣＣＨ情報が変更されたＭＢＭＳサービスＩＤを含むＭＢＭＳ  ＣＨＡＮＧＥ  ＩＮＦＯＲＭＡＴＩＯＮを伝送する。前記ＭＢＭＳ  ＣＨＡＮＧＥ  ＩＮＦＯＲＭＡＴＩＯＮは前記修正周期の各反復周期に少なくとも一度繰り返される。非重要情報への変更は、随時発生する。
【００６４】
図１０は、ＭＢＭＳ  ＳＥＲＶＩＣＥ  ＩＮＦＯＲＭＡＴＩＯＮ及びＲＡＤＩＯ  ＢＥＡＲＥＲ  ＩＮＦＯＲＭＡＴＩＯＮを伝送するスケジュールを示す。異なるブロック表示は、他のＭＣＣＨコンテンツを示す。
【００６５】
サービス地域（ｃｏｖｅｒａｇｅ）を増加させるために、異なるセル間に位置するＵＥは、同時に異なるセルから同一のＭＢＭＳサービスを受信し、図１１に示すように、前記受信された情報を結合できる。この場合、前記ＵＥは、所定アルゴリズムに基づいて前記ＵＥが選択したセルから記ＭＣＣＨを読み出す。
【００６６】
図１１を参照すると、前記選択されたセル（例えば、セルＡ−Ｂ）からのＭＣＣＨで、前記ＵＥは、前記ＵＥが関心を持つサービスに関する情報を受信する。前記情報は、現在のセル、前記ＵＥが受信できる隣接セル（例えば、セルＡ−Ａ及びセルＢ）の物理チャネル、トランスポートチャネル、ＲＬＣ構成、ＰＤＣＰ構成などの構成に関する情報を含む。すなわち、前記受信された情報は、前記ＵＥがセルＡ−Ａ、Ａ−Ｂ、及びＢに関心を持つサービスを搬送するＭＴＣＨを受信するために前記ＵＥが必要とする情報を含む。
【００６７】
同一サービスが異なるセルに移動するとき、前記ＵＥは、異なるセルからサービスを結合することも、しないこともある。結合が可能である場合、前記結合は、異なるレベルで行われる。前記レベルは、１）結合不可能、２）ＲＬＣレベルでの選択的結合、及び３）物理的レベルでのＬ１結合である。
【００６８】
ＭＢＭＳ一対多伝送のための選択的結合がＲＬＣ  ＰＤＵナンバリングによりサポートされる。従って、ＭＢＭＳ一対多伝送ストリーム間の非同期化（ｄｅ−ｓｙｎｃｈｒｏｎｉｚａｔｉｏｎ）が前記ＵＥのＲＬＣ並び替え（ｒｅ−ｏｒｄｅｒｉｎｇ）能力を超過しない限り、前記ＵＥでの選択的結合は、類似したＭＢＭＳ  ＲＢビットレートを提供するセルから可能である。従って、前記ＵＥ側には１つのＲＬＣエンティティが存在する。
【００６９】
選択的結合の場合、ＣＲＮＣのセルグループ内での一対多伝送を活用するＭＢＭＳサービス毎に１つのＲＬＣエンティティが存在する。前記セルグループ内の全てのセルは同一ＣＲＮＣ下にある。１つのＭＢＭＳセルグループに属する隣接セル内のＭＢＭＳ伝送間に非同期化が発生した場合、前記ＣＲＮＣは、ＵＥが前記セル間で選択的結合を行うことができるようにする再同期化（ｒｅ−ｓｙｎｃｈｒｏｎｉｚａｔｉｏｎ）動作を行うことができる。
【００７０】
ＴＤＤの場合、選択的結合及びソフト結合は、ＮｏｄｅＢが同期化するときに使用できる。ＦＤＤの場合、ソフト結合は、Ｎｏｄｅ−ＢがＵＥのソフト結合受信ウインドウ内で同期化するときに使用でき、前記ソフト結合Ｓ−ＣＣＰＣＨのデータフィールドは、ソフト結合の間は一致する。
【００７１】
セル間の選択的又はソフト結合が有効であるとき、前記ＵＴＲＡＮは、選択的又はソフト結合に利用可能な隣接セルのＭＴＣＨ構成（ｃｏｎｆｉｇｕｒａｔｉｏｎ）を含むＭＢＭＳ  ＮＥＩＧＨＢＯＲＩＮＧ  ＣＥＬＬ  ＩＮＦＯＲＭＡＴＩＯＮを送信する。部分的ソフト結合が適用されるとき、前記ＭＢＭＳ  ＮＥＩＧＨＢＯＲＩＮＧ  ＣＥＬＬ  ＩＮＦＯＲＭＡＴＩＯＮは、Ｌ１−結合スケジュールを含み、これは、前記ＵＥが隣接セル内で伝送されたＳ−ＣＣＰＣＨをサービングセルで伝送された前記Ｓ−ＣＣＰＣＨとソフト結合できる瞬間を示す。前記ＵＥは、隣接セルのＭＣＣＨを受信せずに、ＭＢＭＳ  ＮＥＩＧＨＢＯＲＩＮＧ  ＣＥＬＬ  ＩＮＦＯＲＭＡＴＩＯＮと共に、前記隣接セルからのＭＴＣＨ送信を受信することができる。
【００７２】
前記ＵＥは、閾値（例えば、測定されたＣＰＩＣＨ  Ｅｃ／Ｎｏ）及び前記隣接セルのＭＢＭＳ  ＮＥＩＧＨＢＯＲＩＮＧ  ＣＥＬＬ  ＩＮＦＯＲＭＡＴＩＯＮの存在に基づいて、選択的又はソフト結合に適した前記隣接セルを決定する。選択的又はソフト結合の実行可能性は、前記ＵＥに信号で送られる（ｓｉｇｎａｌｅｄ）。
【００７３】
ＵＭＴＳのＬＴＥ（Ｌｏｎｇ−ｔｅｒｍ  ｅｖｏｌｕｔｉｏｎ）は、ＵＭＴＳを標準化した３ＧＰＰにより論議中である。３ＧＰＰ  ＬＴＥは、高速パケット通信を可能にする技術である。ユーザ及びプロバイダのコストを減少させ、サービス品質を向上させ、サービス地域（ｃｏｖｅｒａｇｅ）及びシステム容量を拡張及び改善させるというＬＴＥの目的のために多くの方式が提案されてきた。
【００７４】
図１２は、ＬＴＥシステムの構造を示す。各ａＧＷ１１５は、１つ又は複数のアクセスゲートウェイ（ａｃｃｅｓｓ  Ｇａｔｅｗａｙｓ：ａＧＷ）１１５に接続される。ａＧＷ１１５は、インターネット及び／又はＧＳＭ、ＵＭＴＳ、及びＷＬＡＮのような他のネットワークへのアクセスを可能にする他のＮｏｄｅ（図示せず）に接続される。
【００７５】
３ＧＰＰ  ＬＴＥは、上位レベルの要件として、１ビット当たりのコストの減少、サービス有用性の増大、周波数帯域使用の柔軟性、簡単な構造、オープンインタフェース、及び端末の適切な電力消費を必要とする。一般に、ＵＴＲＡＮ  ２は、Ｅ（Ｅｖｏｌｖｅｄ）−ＵＴＲＡＮに相当し、ＮｏｄｅＢ５及び／又はＲＮＣ４は、前記ＬＴＥシステムのｅ−ＮｏｄｅＢ（ｅＮＢ）１０５に相当する。
【００７６】
３ＧＰＰ  ＬＴＥシステムにおいて、システム情報（ＳＩ）は、ネットワークへの接続（ａｔｔａｃｈｍｅｎｔ）の成功のためにＵＥに異なるセル及びネットワーク特定パラメータを伝送する。前記システム情報は、ページングを容易にし、前記ＵＥが異なるネットワークサービスを利用できるようにする。全てのセルは、持続的に自身のシステム情報をブロードキャスト制御チャネル（ＢＣＣＨ）のようなチャネルでブロードキャストする。さらに、前記ネットワークに登録するか、特定セルへのハンドオーバーを行っている全てのＵＥは、まず前記セル特定情報を読み出す。
【００７７】
従来、前記ＭＳＣＨは、前記ＵＥがＭＢＭＳサービスの受信を期待することができる期間（ｐｅｒｉｏｄｓ）のスケジューリングを可能にする。しかし、このメカニズムが所定サービスには適しないこともある。例えば、テレビ又はＦＤＤ上のテレビのようなサービスに関連して問題が発生することがあるが、これは、一定のビットレートを有するが、１つのＳ−ＣＣＰＣＨに他のサービスとともに多重化される。
【発明の概要】
【課題を解決するための手段】
【００７８】
本発明は、一定のデータレートサービスのための不連続受信動作に関する。
【００７９】
本発明のさらなる長所及び利点は後述する発明の詳細な説明に記述されるが、一部はその記述内容から明確になるか、又は、本発明を実施することにより理解されるであろう。本発明の目的と長所は、特に、発明の詳細な説明及び請求の範囲並びに添付図面に開示された構成により実現及び達成される。
【００８０】
具体化して広範囲に説明されているように、このような利点及び本発明の目的を達成するために、本発明は、無線通信システムにおけるネットワークと移動端末機間の通信方法を提供する。前記方法は、送信時間間隔中にチャネルを受信する段階と、前記チャネルを受信した後、前記チャネルに関する所定の送信時間間隔中は前記ネットワークからの送信を受信しないと決定する段階とを含む。好ましくは、前記チャネルは、トランスポートチャネルがマッピングされる物理チャネルである。
【００８１】
本発明の一態様において、前記チャネルに関する前記所定の送信時間間隔は、前記チャネルの送信と同一チャネルの次の送信間の送信時間間隔の数である。本発明の他の態様において、前記チャネルに関する前記所定の送信時間間隔は、前記チャネルが送信される送信時間間隔の開始と同一チャネルが送信される次の送信時間間隔の開始間の送信時間間隔の数である。
【００８２】
本発明のさらに他の態様において、前記チャネルに関する前記所定の送信時間間隔は、前記トランスポートチャネルがマッピングされる前記物理チャネルの構成パラメータ（ｃｏｎｆｉｇｕｒａｔｉｏｎ  ｐａｒａｍｅｔｅｒｓ）に依存する。好ましくは、前記構成パラメータは、変調方式（ｍｏｄｕｌａｔｉｏｎ  ｓｃｈｅｍｅ）、拡散率（ｓｐｒｅａｄｉｎｇ  ｆａｃｔｏｒ）、及び使用された送信時間間隔の少なくとも１つを含む。
【００８３】
好ましくは、前記チャネルに関する前記所定の送信時間間隔は、前記ネットワークにより設定される。好ましくは、前記チャネルに関する前記所定の送信時間間隔は、一対多制御チャネル、及び専用信号の少なくとも１つで前記ネットワークから受信される。
【００８４】
本発明によると、前記方法は、前記チャネルにマッピングされたサービスデータを受信する段階と、前記サービスデータを復号化した後、前記サービスデータに関する所定の送信時間間隔中は前記ネットワークからの送信を受信しないと決定する段階とをさらに含む。好ましくは、前記サービスデータに関する前記所定の送信時間間隔は、前記サービスデータが伝送される送信時間間隔の開始と同一サービスデータが伝送される次の送信時間間隔の開始間の送信時間間隔の数である。
【００８５】
本発明の一実施形態によれば、無線通信システムにおけるネットワークと移動端末機間の通信方法は、物理チャネルにより運ばれる特定トランスポートチャネルを示すインジケータを含む送信初期部（ｉｎｉｔｉａｌ  ｐｏｒｔｉｏｎ）を受信する段階と、前記インジケータを復号化する段階と、前記復号化されたインジケータに基づいて、前記物理チャネルにより運ばれる前記特定トランスポートチャネルが所望のトランスポートチャネルであるか否かを判断する段階と、前記物理チャネルにより運ばれる前記特定トランスポートチャネルが所望のトランスポートチャネルでないと判断された場合、前記送信残部（ｒｅｍａｉｎｉｎｇ  ｐｏｒｔｉｏｎ）を受信しないと決定する段階とを含む。
【００８６】
本発明の他の実施形態によれば、無線通信システムにおけるネットワークと移動端末機間の通信方法は、送信時間間隔中に受信されるトランスポートチャネルを示すインジケータを受信する段階と、前記インジケータを受信した後、前記トランスポートチャネルに関する所定の送信時間間隔中は前記ネットワークからの送信を受信しないと決定する段階とを含む。
【００８７】
本発明のさらに他の実施形態によれば、無線通信システムにおけるネットワークと移動端末機間の通信方法は、チャネルに関する所定の送信時間間隔を設定する段階と、送信時間間隔中に前記チャネルを送信する段階と、前記所定の送信時間間隔が経過した後、同一チャネルを送信する段階とを含む。好ましくは、前記チャネルは、トランスポートチャネルがマッピングされる物理チャネルである。
【００８８】
本発明の一態様において、前記チャネルに関する前記所定の送信時間間隔は、前記チャネルの送信と同一チャネルの次の送信間の送信時間間隔の数である。本発明の他の態様において、前記チャネルに関する前記所定の送信時間間隔は、前記チャネルが送信される送信時間間隔の開始と同一チャネルが送信される次の送信時間間隔の開始間の送信時間間隔の数である。
【００８９】
本発明のさらに他の態様において、前記チャネルに関する前記所定の送信時間間隔は、前記トランスポートチャネルがマッピングされる前記物理チャネルの構成パラメータに依存する。好ましくは、前記構成パラメータは、変調方式、拡散率、及び使用された送信時間間隔の少なくとも１つを含む。
【００９０】
本発明によると、前記方法は、前記チャネルに関する前記所定の送信時間間隔を前記移動端末機に伝送する段階をさらに含む。好ましくは、前記チャネルに関する前記所定の送信時間間隔は、一対多制御チャネル、及び専用信号の少なくとも１つで前記移動端末機に伝送される。
【００９１】
本発明の一態様において、前記方法は、前記チャネルにマッピングされたサービスデータを伝送する段階をさらに含み、ここで、前記移動端末機は、前記サービスデータを復号化した後、前記サービスデータに関する所定の送信時間間隔中は前記ネットワークからの送信を受信しないと決定する。好ましくは、前記サービスデータに関する前記所定の送信時間間隔は、前記サービスデータが伝送される送信時間間隔の開始と同一サービスデータが伝送される次の送信時間間隔の開始間の送信時間間隔の数である。
【００９２】
本発明の一実施形態によれば、無線通信システムにおけるネットワークと移動端末機間の通信方法は、信号を移動端末機に伝送する段階と、物理チャネルにより運ばれる特定トランスポートチャネルを示すインジケータを送信初期部内に含める段階とを含み、ここで、前記移動端末機は、前記インジケータを復号化し、前記復号化されたインジケータに基づいて前記物理チャネルにより運ばれる前記特定トランスポートチャネルが所望のトランスポートチャネルであるか否かを判断し、前記物理チャネルにより運ばれる前記特定トランスポートチャネルが所望のトランスポートチャネルでないと判断された場合、前記送信残部を受信しないと決定する。
【００９３】
本発明の他の実施形態によれば、無線通信システムにおけるネットワークと移動端末機間の通信方法は、トランスポートチャネルに関する所定の送信時間間隔を設定する段階と、送信時間間隔中に前記移動端末機により受信されるトランスポートチャネルを示すインジケータを伝送する段階と、前記所定の送信時間間隔が経過した後、前記トランスポートチャネルを送信する段階とを含む。
【００９４】
上記の本発明の一般的な記載及び後述する詳細な記載は例示的なものであり、請求の範囲に記載の本発明を具体的に説明するためのものである。
【図面の簡単な説明】
【００９５】
発明の理解を容易にするために添付され、本明細書の一部を構成する図面は、本発明の多様な実施形態を示し、明細書と共に本発明の原理を説明する。図面において同一符号を付す本発明の特徴、構成要素、及び態様は、１つ以上の実施形態において同一、同等、又は類似した特徴、構成要素、及び態様を示す。
【図１】従来のＵＭＴＳネットワークを示す図である。
【図２】ＵＥとＵＴＲＡＮ間の従来の無線インターフェースプロトコルを示す図である。
【図３】論理チャネル構造を示す図である。
【図４】ＵＥの観点から論理チャネルとトランスポートチャネル間の可能なマッピングを示す図である。
【図５】ＵＴＲＡＮの観点から論理チャネルとトランスポートチャネル間の可能なマッピングを示す図である。
【図６】ＵＥの可能な状態移行を示す図である。
【図７】典型的なカウント手順を示す図である。
【図８】ＵＥの観点から論理チャネルとトランスポートチャネル間のマッピングを示す図である。
【図９】ＵＴＲＡＮの観点から論理チャネルとトランスポートチャネル間のマッピングを示す図である。
【図１０】ＭＢＭＳサービス情報及び無線ベアラ情報を伝送するスケジュールを示す図である。
【図１１】複数のセルからＭＢＭＳサービスを受信するＵＥを示す図である。
【図１２】ＬＴＥシステムの構造を示す図である。
【図１３】本発明の一実施形態による一定のデータレートサービスのための不連続受信（ＤＲＸ）期間（ｐｅｒｉｏｄ）を示す図である。
【図１４】本発明の一実施形態による一定のデータレートサービスのためのスケジューリングチャネルにより示された不連続受信（ＤＲＸ）期間を示す図である。
【図１５】不連続受信動作を行わない受信及び復号化データブロックを示す図である。
【図１６】本発明の一実施形態による一定のデータレートサービスのための不連続受信（ＤＲＸ）動作を示す図である。
【図１７】本発明の他の実施形態による一定のデータレートサービスのための不連続受信（ＤＲＸ）動作を示す図である。
【図１８】本発明の他の実施形態による一定のデータレートサービスのためのスケジューリングチャネルにより示された不連続受信（ＤＲＸ）期間を示す図である。
【図１９】本発明の他の実施形態による一定のデータレートサービスのためのスケジューリングチャネルにより示された不連続受信（ＤＲＸ）期間を示す図である。
【図２０】本発明の一実施形態による移動局又はＵＥのブロック図である。
【発明を実施するための形態】
【００９６】
本発明は、一定のデータレートサービスのための不連続受信動作に関する。
【００９７】
以下、添付図面を参照して本発明の好ましい実施形態について詳細に説明する。できる限り、図面の全般にわたって同一又は類似する部分には同一参照番号が用いられる。
【００９８】
図１３は、一定のデータレートサービスのための不連続受信（ＤＲＸ）期間（周期）（ｐｅｒｉｏｄ）を示す。一定の（又は、一定に近い）データストリームのためのＤＲＸ動作を可能にするために、ピークデータレート（ｐｅａｋ  ｄａｔａ  ｒａｔｅ）は平均データレートより高いことが好ましい。Ｓ−ＣＣＰＣＨを利用するＵＭＴＳ  ＦＤＤにおいて、これは、図１３に示すように、所定のサービスが伝送されない送信時間間隔（ＴＴＩ）を生成することにより可能となる。
【００９９】
ＭＢＭＳにおいて、異なるベアラサービスを多重化する異なる方法としては、１）ＭＡＣ多重化、及び２）トランスポートチャネル多重化が挙げられる。ＭＡＣ多重化において、２つのサービスが同一トランスポートチャネルを共有するが、ここで、前記２つのサービスは、ＭＡＣヘッダを使用して識別される。トランスポートチャネル多重化において、２つのサービスは異なるトランスポートチャネルにより運ばれるが、ここで、前記ＵＥには、制御チャネルで運ばれるＴＦＣＩにより、送信時間間隔内に含まれるどの伝送ブロックがどのトランスポートチャネルからのデータを含むかが通知される。
【０１００】
ＭＢＭＳにおいて、１つの物理チャネルに多重化された異なるトランスポートチャネルを有する間は、異なるトランスポートチャネルに前記ＭＡＣにより多重化された異なるサービスを有することも可能である。ここで、ＴＴＩは、１〜８フレームから構成されることが好ましく、完全なＴＦＣＩは、各フレームに示される。
【０１０１】
ＤＲＸを行うために、前記ＵＥは、自身が関心を持つサービスが伝送されない期間を知っていなければならない。ＭＳＣＨは、所定のサービスが伝送される最大１つの期間を特定することができ、従って、前記期間が長い場合、ＤＲＸ期間を暗示的に示す。しかしながら、一定のデータレートを有するサービスに関しては、全てのＤＲＸ期間を暗示的に示すために前記サービスが伝送される全ての期間を示す前記ＭＳＣＨを伝送するにはコストがかかる。前記ＭＳＣＨが前記ＭＴＣＨと同期して伝送される場合、前記ＵＥは、最大ＤＲＸを行うことができる。しかしながら、前記ＭＳＣＨが時間遅延して伝送される場合、前記ＵＥは前記ＭＴＣＨ及び前記ＭＳＣＨが伝送されるＴＴＩを受信するため、前記最大ＤＲＸ期間は減少する。
【０１０２】
本発明によれば、ピークデータレート及びＴＴＩ長は直ちにＵＥの複雑度に影響を与える。ＵＥの複雑度は、前記ＵＥが所定の時間フレーム内で受信して処理しなければならないトランスポートチャネルの伝送ブロックに対応するビットの数だけでなく、１フレーム及び１送信時間間隔当たり（ｐｅｒ  ｆｒａｍｅ  ａｎｄ  ｐｅｒ  ＴＴＩ）保存及び処理できなければならない復調されたソフトビットの数によって主に決定される。
【０１０３】
図１４は、一定のデータレートサービスのためにＭＳＣＨにより示された不連続受信（ＤＲＸ）期間を示す。図１５は、不連続受信動作を行わない受信及び復号化データブロックを示す。一般に、前記ＵＥは、ＴＴＩ毎にデータを受信すべきである。従って、図１４に示すように、前記復号化の実行は、１秒当たり一定数のビットの復号化を可能にするが、これは、１つのＴＴＩ中でＴＴＩ毎に１トランスポートチャネル当たりの最大ビットに対応するものである。しかしながら、いくつかの一定ビットレートストリームが共に多重化される場合、及び前記ＵＥが前記多重化されたストリームの１つのみを復号化すべきである場合、前記ＵＥが自身が関心を持つ前記サービスのデータを含む前記トランスポートチャネルの前記伝送ブロックを復号化することが好ましい。従って、トランスポートチャネルが所定のストリームからのデータのみを含む場合、これは、前記ＵＥが、前記ストリームが伝送されるピークデータレートではなく、前記ＵＥが関心を持つ前記サービスのデータレートに対応する割合でのみデータを復号化できるようにする。
【０１０４】
しかしながら、前記ＵＥが自身が関心を持つサービスを含む２つのＴＴＩ間に所定の最小のＴＴＩが存在しているか否かを認知することは難しい。従って、前記ＵＥが同一物理チャネルに多重化されるいくつかのサービスの１つのみを処理して受信するようにするために、前記ＵＥが同一サービスのデータを含む２つのＴＴＩの伝送間の最小ギャップを生成するネットワークに依存することが好ましい。従って、所定サービスがスケジューリングされるＴＴＩを前記ＵＥが認知している場合、前記ＵＥは、前記ＴＴＩのみを処理することができる。
【０１０５】
本発明の一実施形態によれば、同一サービスのデータを含む２つのＴＴＩの伝送間の前記最小ギャップは、前記セルのＳＦＮに関連してサービスがスケジューリングされる前記ＴＴＩを示すことにより生成できる。例えば、ＳＦＮ  ｍｏｄ  ａとｂが同一であるフレーム内で開始するＴＴＩの間、サービスがスケジューリングでき、ここで、ａは、伝送の周期性（ｐｅｒｉｏｄｉｃｉｔｙ）を示し、ｂは、オフセットを示す。このような例は図１６に示し、前記トランスポートチャネル１の場合、前記パラメータａは６であり、前記パラメータｂは１である。従って、前記トランスポートチャネル１の伝送は、６フレーム毎にスケジューリングされ、前記フレーム１と共に開始する。
【０１０６】
本発明の他の実施形態によれば、前記ＵＥの処理要求事項（ｐｒｏｃｅｓｓｉｎｇ  ｒｅｑｕｉｒｅｍｅｎｔｓ）は、所定のトランスポートチャネルの送信後に、最小数のＤＲＸ  ＴＴＩを導入することにより減少できる。従って、前記ネットワークは、各伝送後に前記ＵＥが自身の受信機の無線部分（ｒａｄｉｏ  ｐａｒｔ）をスイッチオフできる最小期間（ｍｉｎｉｍｕｍ  ｐｅｒｉｏｄ）を保証する。例えば、８つのトランスポートチャネルが構成されると、前記ネットワークは、各ＴＴＩ後に、１つのサービスにのみ関心を持つ前記ＵＥが任意のデータを受信する必要がない７つものＤＲＸ  ＴＴＩを特定することができる。
【０１０７】
従って、前記Ｓ−ＣＣＰＣＨの前記データレートは、前記トランスポートチャネル間で考案でき、ここで、１つのトランスポートチャネルの最大データレートは、各伝送後の最小数のＤＲＸ  ＴＴＩに依存する。８つのトランスポートチャネルが構成されるが、２つのＴＴＩの１つのＤＲＸ期間のみが前記トランスポートチャネル１に対して特定される例において、前記トランスポートチャネル１は、前記ＵＥが受信を希望するトランスポートチャネルであり、この場合、前記ＵＥ能力は、前記ピークデータレートの１／３に対応すればよく、これは、図１７に示す。結果的に、これは、依然として前記ネットワークスケジューラ及び前記データレートの変形において若干の柔軟性を可能にするが、具体的には、前記スケジューラが伝送できる最大データレートは、前記ピークデータレートの１／３である。
【０１０８】
図１７を参照すると、前記トランスポートチャネル１に対する伝送がＴＴＩ１で完了した場合、前記ＵＥは、前記トランスポートチャネル１に対するデータを含むＴＴＩの最後の受信後に前記２つのＴＴＩの間受信を中断できる。具体的には、前記ＵＥは、ＴＴＩ２及びＴＴＩ３の間に受信を中断する。その後、前記ネットワークによる同一トランスポートチャネルに対する伝送のスケジューリングのためのできるだけ早い時間がＴＴＩ４である。特に、前記ＵＥが前記ネットワークからトランスポートチャネル１の伝送を受信するまでＴＴＩ４から開始する少なくとも前記ＴＦＣＩを連続して受信するので、前記ネットワークは、以後の同一のトランスポートチャネルの送信をスケジューリングする可能性がある。好ましくは、前記ＵＥは、前記ＴＦＣＩを使用して、前記トランスポートチャネル１が前記伝送のために使用されることを確認する（ｉｄｅｎｔｉｆｉｅｓ）ときにのみ復号化を開始する。従って、前記ＵＥは、以後の即時伝送を復号化する準備をするために１つのＴＴＩ中に前記データを復号化する必要はなく、３つのＴＴＩ中に復号化を行うことができる。好ましくは、前記ＵＥが前記ネットワークから受信された少なくとも１つの伝送が行われるまで、前記ＵＥは、伝送されるトランスポートチャネルを検出するために少なくとも前記ＴＦＣＩを継続して受信する。
【０１０９】
本発明によると、前記最小数のＤＲＸ  ＴＴＩは、前記ＭＣＣＨで動的に又は前記構成（ｃｏｎｆｉｇｕｒａｔｉｏｎ）メッセージの１つに含まれて伝送できる。他の方法としては、前記最小数のＤＲＸ  ＴＴＩは、変調方式、拡散率、又は使用されたＴＴＩのような他のパラメータにより定義できる。前記最小数のＤＲＸ  ＴＴＩはまた、前記トランスポートチャネルの送信に含まれるので、伝送する度に再構成できる。
【０１１０】
本発明によると、前記説明は、好ましくはトランスポートチャネルレベルに関する動作を記述し、ここで、トランスポートチャネルは異なる多重化されたサービスの伝送を含む。従って、これは、ＵＥが関心を持つ１つのサービスのデータレートをさらに変調することを可能にする。
【０１１１】
本発明の一実施形態によれば、前述したメカニズムは、ＨＳＤＰＡ又はＬＴＥで使用された共有チャネルのような他のタイプのチャネルに適用されることもできる。例えば、ＵＥが特定Ｈ−ＲＮＴＩ／Ｃ−ＲＮＴＩを利用するか、又は特定ＨＡＲＱプロセスを利用する伝送のような特定ストリームをモニターし、所定のストリームでデータの受信に成功した後にＤＲＸを行う場合、前記ネットワークは、最後の伝送後に特定時間が過ぎた後、新しいデータ／再送信をスケジューリングすることを可能にする。
【０１１２】
図１８は、本発明の他の実施形態による一定のデータレートサービスのための前記ＭＳＣＨにより示された不連続受信（ＤＲＸ）期間を示す。前記ＵＥが関心を持つ前記トランスポートチャネルをＴＴＩ／フレームが含むか否かを判断するために、前記ＵＥは、前記ＴＴＩの開始時点で１つのフレームの前記ＴＦＣＩを復号化できる。図１８を参照すれば、前記ＵＥは、前記完全なＴＴＩが受信された後にのみ、前記ＴＴＩの復号化を開始することができるため、前記ＵＥは、ＴＴＩの第１のフレームを受信した後、前記フルＴＴＩを継続して受信する必要があるか否かを直ちに判断できる。前記ＵＥが前記トランスポートチャネルに多重化されたサービスを受信することを希望する場合、前記ＵＥは、前記特定ＴＴＩを復号化することを必要とするか否か、又は前記ＵＥが次のＴＴＩの開始までＤＲＸにスイッチングできるか否かを直ちに判断できる。
【０１１３】
図１９は、本発明の他の実施形態による一定のデータレートサービスのための前記ＭＳＣＨにより示された不連続受信（ＤＲＸ）期間を示す。前記ＵＥにおいて節電を促すために、前記ＵＥは、前述したものと類似したＤＲＸ  ＴＴＩを決定できる。しかしながら、前記ＤＲＸ  ＴＴＩは、トランスポートチャネルに基づくものでなく、所定のサービスのためのデータを含む伝送に基づくものである。好ましくは、前記ＵＥが所定のサービスのための所定パケットを受信すると、前記サービスのための次のパケットは、特定時間までは前記ネットワークにより伝送されない。図１９を参照すれば、前記ＵＥは、サービス１に関心を持ち、これは、トランスポートチャネル１にマッピングされる。前述したように、２つのＴＴＩの最小ＤＲＸ期間は、トランスポートチャネル１のために構成される（ｃｏｎｆｉｇｕｒｅｄ）。トランスポートチャネル１に多重化された前記サービス１のために、５つのＴＴＩの最小ＤＲＸ期間が定義される。
【０１１４】
ＵＥ受信の開始のとき、前記ＵＥは、ＴＦＣＩを継続して受信し、前記データを保存する。前記トランスポートチャネル１が検出されたことをＴＦＣＩが示すと、前記ＵＥは、継続して受信し、前記完全なＴＴＩが受信された後に前記ＴＴＩを復号化する。他のトランスポートチャネルが送信されることを前記ＴＦＣＩが示す場合、前記ＵＥは、受信を停止して次のＴＴＩの開始までに前記既に保存されていたデータを廃棄する。
【０１１５】
図１９を参照すれば、前記トランスポートチャネル１が伝送されることを示す前記ＴＦＣＩを前記ＵＥが受信すると（段階１）、前記ＵＥは、さらに前記完全なＴＴＩを受信し、前記ＴＴＩが受信された後にデータの復号化を開始する（段階２）。前記チャネルが２つのＴＴＩのＤＲＸ期間と共に構成された場合、前記ＵＥは、ＴＴＩ２及びＴＴＩ３を受信しない（段階３）。その後、前記ＵＥがＴＴＩ４の開始時に前記データの復号化をまだ終了していない場合、前記ＵＥは、ＴＴＩ、すなわち、ＴＴＩ４の受信を再開する（段階４）。
【０１１６】
図１９において、ＴＴＩ１で受信された前記データの復号化は、ＴＴＩ４中に完了する（段階５）。従って、サービス１のためのデータがトランスポートチャネル１の伝送に含まれると前記ＵＥが判断した場合、前記ＵＥは、前記サービス１のデータの受信に関する５つのＴＴＩの前記ＤＲＸ期間を適用できる。従って、一旦、前記ＵＥが前記サービス１のデータが予めＴＴＩ１で受信されたと知ると、前記ＵＥは、ＴＴＩの受信を直ちに止めることができる（段階６）。次に、前記ＵＥは、ＴＴＩ７でＴＴＩの受信を再開するが、これは、前記サービス１のためのデータの最後の受信から５つのＴＴＩだけ離れた所である（段階７）。
【０１１７】
他の方法としては、ＴＴＩ１で受信された前記データの復号化がＴＴＩ４の開始前に完了すれば、その後、前記ＵＥは、前記サービス１のデータがＴＴＩ１で伝送されたことを早く認知する。従って、前記ＵＥは、ＴＴＩ４でＴＴＩの受信を再開しない。従って、前記ＵＥは、ＴＴＩ２でＤＲＸ状態を開始することができ、ＴＩ６の終端でＴＴＩの受信を再開することができる。
【０１１８】
さらに、段階５で、前記サービス１のためのデータが受信されていないと前記ＵＥが判断した場合、前記ＵＥは、段階６でＴＴＩの受信を続ける。次に、前記ＵＥは、ＴＴＩ４で受信された前記データを復号化する。
【０１１９】
本発明によれば、データストリームを処理するために必要な前記ＵＥ能力は減少する。これは、所定のサービスに属するデータを含むストリームに属するデータブロックを受信した後、前記ＵＥが受信を妨害することを可能にすることにより行われる。従って、前記ＵＥが前記受信されたデータを処理するために使用できる時間は増加する。さらに、前記増加した時間の間、前記ＵＥは、自身の受信機をスイッチオフすることができるため、前記ＵＥの電力消費が減少する。ＤＲＸ期間をさらに増加させるために、前記ＵＥは、サービスの受信後に所定期間（ｔｉｍｅ  ｐｅｒｉｏｄ）の間は受信を中止する。
【０１２０】
図２０は、本発明による移動局（ＭＳ）又はＵＥ１を示すブロック図である。前記ＵＥ１は、プロセッサ（又は、デジタル信号プロセッサ）２１０、ＲＦモジュール２３５、電力管理モジュール２０５、アンテナ２４０、バッテリ２５５、ディスプレイ２１５、キーパッド２２０、メモリ２３０、スピーカ５４５、及びマイク５５０を含む。
【０１２１】
ユーザは、例えば、キーパッド２２０のボタンを押すか、マイク２５０を利用した音声認識により電話番号のような指示情報を入力する。マイクロプロセッサ２１０は、前記指示情報を受信及び処理して前記入力された電話番号をダイヤルするなどの適切な機能を行う。動作データ（ｏｐｅｒａｔｉｏｎａｌ  ｄａｔａ）は、メモリモジュール２３０から検索されて、その機能を行う。また、プロセッサ２１０は、ユーザの参照及び便宜のために、前記指示及び動作情報をディスプレイ２１５に表示することができる。
【０１２２】
プロセッサ２１０は、指示情報をＲＦモジュール２３５に送信し、例えば音声通信データを含む無線信号の送信などの通信を開始する。ＲＦセクション２３５は、無線信号を受信及び送信するための受信機及び送信機を含む。アンテナ２４０は、前記無線信号の送受信を容易にする。無線信号を受信すると、ＲＦモジュール２３５は、受信した前記無線信号をベースバンド周波数に変換し、プロセッサ２１０の処理のためにプロセッサ２１０に伝送する。前記処理された信号は、例えば、スピーカ２４５から出力される聞き取り又は読み取り可能な情報に変形される。プロセッサ２１０は、ここに記述されている多様なプロセスを行うために必要なプロトコル及び機能を含む。
【０１２３】
前記移動局１が、例えば、プロセッサ２１０、又は他のデータもしくはデジタル処理装置を使用して、単独で又は外部サポートロジックと組み合わせて容易に実現されることは、当業者にとって明らかである。本発明は、移動通信に関連して説明されたが、無線通信特性を備えたＰＤＡ及びラップトップコンピュータのような移動装置を使用する他の無線通信システムにも適用できる。また、本発明を説明するために使用された特定用語は本発明の権利範囲をＵＭＴＳなどの特定無線通信システムに限定するものではない。本発明は、さらに、ＴＤＭＡ、ＣＤＭＡ、ＦＤＭＡ、ＷＣＤＭＡなどの他の無線インターフェース及び／又は他の物理層を使用する他の無線通信システムにも適用できる。
【０１２４】
本実施形態は、ソフトウェア、ファームウェア、ハードウェア、又はこれらの組み合わせを生産するための標準プログラミング及び／又はエンジニアリング技術を利用して製造方法、装置、又は製造物として実行できる。ここで、「製造物」という用語は、ハードウェアロジック（例えば、集積回路チップ、ＦＰＧＡ（Ｆｉｅｌｄ  Ｐｒｏｇｒａｍｍａｂｌｅ  Ｇａｔｅ  Ａｒｒａｙ）、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）など）、コンピュータ可読媒体（例えば、ハードディスクドライブ、フロッピー（登録商標）ディスク、テープなどの磁気記録媒体）、光記録装置（ＣＤ−ＲＯＭ、光ディスクなど）、又は揮発性／不揮発性メモリ装置（例えば、ＥＥＰＲＯＭ、ＲＯＭ、ＰＲＯＭ、ＲＡＭ、ＤＲＡＭ、ＳＲＡＭ、ファームウェア、プログラムロジックなど）において実行されるコードやロジックを示す。コンピュータ可読媒体内のコードはプロセッサによりアクセス及び実行される。
【０１２５】
本実施形態を実行するコードは伝送媒体を通じて、又はネットワーク上のファイルサーバから接続することもできる。その場合、前記コードが実行される製造物は、ネットワーク伝送ライン、無線伝送媒体、空中を伝播する信号、無線波、赤外線信号などの伝送媒体を含む。もちろん、当該技術分野における通常の知識を有する者であれば、本発明の要旨を逸脱しない範囲においてこのような形態の多様な変形が可能であり、前記製造物が公知の情報伝達媒体（ｉｎｆｏｒｍａｔｉｏｎ  ｂｅａｒｉｎｇ  ｍｅｄｉｕｍ）も含むことができるという点を理解すると思われる。
【０１２６】
図面に示されたロジック実装（ｌｏｇｉｃ  ｉｍｐｌｅｍｅｎｔａｔｉｏｎ）は、特定順序に従った特定動作によって説明されているが、他の実施形態では、前記ロジック実装を他の順序にするか、その一部を変更又は削除して実行することができる。また、前述したロジックに過程がさらに追加されて本発明によって実行することもできる。
【０１２７】
前述した実施形態と利点は本発明を制限するものでなく、単なる例示にすぎない。本発明は、他の形態の装置にも容易に適用できる。本発明の詳細な説明は請求の範囲を制限するものでなく、単なる説明の便宜のためのものである。当該技術分野における通常の知識を有する者であれば多様な代案、変更、変形が可能であることを理解できるであろう。請求項において、ミーンズプラスファンクションクレーム（ｍｅａｎｓ−ｐｌｕｓ−ｆｕｎｃｔｉｏｎ  ｃｌａｕｓｅｓ）は列挙された機能を実行するものであり、ここに記載された構造、構造的同等物だけでなく均等な構造をも含む。
【図１】
2010521836.tif 000003
【図２】
2010521836.tif 000004
【図３】
2010521836.tif 000005
【図４】
2010521836.tif 000006
【図５】
2010521836.tif 000007
【図６】
2010521836.tif 000008
【図７】
2010521836.tif 000009
【図８】
2010521836.tif 000010
【図９】
2010521836.tif 000011
【図１０】
2010521836.tif 000012
【図１１】
2010521836.tif 000013
【図１２】
2010521836.tif 000014
【図１３】
2010521836.tif 000015
【図１４】
2010521836.tif 000016
【図１５】
2010521836.tif 000017
【図１６】
2010521836.tif 000018
【図１７】
2010521836.tif 000019
【図１８】
2010521836.tif 000020
【図１９】
2010521836.tif 000021
【図２０】
2010521836.tif 000022
【国際調査報告】
2010521836.tif 000023
2010521836.tif 000024